(57)【要約】【課題】簡単かつ廉価にて取付け及び後付けができ、さらに室内照明を改善する照明装置を提供する。【解決手段】固定ユニットに配置された少なくとも１つの第１ランプユニットと前記固定ユニット上に配置された透明表示面とを有し、前記第１ランプユニットの中に配置された少なくとも１つの第１光源が前記透明表示面を向いている形式の照明装置において、前記透明表示面の照明及び／又は前記透明表示面への画像投影を可能にするように、前記透明表示面のサイズと前記固定ユニット上での配置を為す。【選択図】図１
2009117347.tif 000002
【特許請求の範囲】
【請求項１】
固定ユニット（２００）に配置された少なくとも１つの第１ランプユニットと前記固定ユニット（２００）上に配置された透明表示面（１６）とを有し、前記第１ランプユニットの中に配置された少なくとも１つの第１光源が前記透明表示面（１６）を向いている形式の照明装置において、前記透明表示面（１６）のサイズと前記固定ユニット（２００）上での配置が前記透明表示面（１６）の照明及び／又は前記透明表示面（１６）への画像投影を可能にするように為されていることを特徴とする照明装置。
【請求項２】
前記表示面（１６）は合成樹脂織布から成る、請求項１記載の照明装置。
【請求項３】
前記表示面（１６）は第１収納ユニット（１２）の中に配置されており、該第１収納ユニット（１２）は前記固定ユニット（２００）上に配置された第２収納ユニット（１３）内に挿入可能である、請求項１又は２記載の照明装置。
【請求項４】
前記第２収納ユニット（１３）は前記表示面（１６）に対して垂直方向にスライド可能である、請求項３記載の照明装置。
【請求項５】
前記表示面（１６）を向いた第１光源は収納ユニット（１５）内に配置されており、該収納ユニット（１５）は、前記表示面（１６）の、部屋の天井（１００）側の表面の上方にある、請求項１から４のいずれか１項記載の照明装置。
【請求項６】
前記収納ユニット（１５）はＵ字形である、請求項５記載の照明装置。
【請求項７】
前記表示面（１６）を向いた第１光源から発した光ビーム（１１，１１’）が前記表示面（１６）と鋭角をなす、請求項１から６のいずれか１項記載の照明装置。
【請求項８】
固定ユニット（２００，２００’，２００’’）上に配置された少なくとも１つの第２ランプユニットが、部屋の天井（１００）を向いた少なくとも１つの第２光源（２０）、及び／又は、部屋の壁（１０１）を向いた第３光源（２２）、及び／又は、部屋の床（１０３）を向いた第４光源（２４）を有する、請求項１から７のいずれか１項記載の照明装置。
【請求項９】
前記第２及び／又は第３及び／又は第４光源（２０，２２，２４）の各々から放射された光ビームが、部屋の天井（１００）、床（１０３）及び壁（１０１）と鋭角をなす、請求項８記載の照明装置。
【請求項１０】
前記鋭角は１０°の値を有する、請求項７から９のいずれか１項記載の照明装置。
【請求項１１】
前記照明装置は駆動のためのインタフェースを有する、請求項１から１０のいずれか１項記載の照明装置。
【請求項１２】
前記表示面（１６）への画像投影はプロジェクタ（４０）により行われる、請求項１から１１のいずれか１項記載の照明装置。
【請求項１３】
前記照明装置はカメラ及び／又はセンサ、とりわけ光センサを有する、請求項１から１２のいずれか１項記載の照明装置。
【請求項１４】
少なくとも１つの第５光源（３１０，３２０，３３０）が、前記表示面（１６）の前記床（１０３）の側を向いた表面の下方にある第３ランプユニット内に配置されており、当該第３ランプユニットは前記固定ユニット（２００）に固定させることができる、請求項１から１３のいずれか１項記載の照明装置。
【請求項１５】
前記第５光源（３１０，３２０，３３０）はそれぞれ個別に駆動可能である、請求項１４記載の照明装置。
【請求項１６】
請求項１から１５のいずれか１項記載の照明装置を備えた医療ケアユニット。
【発明の詳細な説明】
【技術分野】
【０００１】
本発明は請求項１の上位概念の特徴に従った医療ケアユニット用の照明装置に関するものである。
【背景技術】
【０００２】
室内照明に関する今日の照明概念のほとんどは、主に直接室内照明と、場合によっては間接室内照明とから成り立っている。なお、間接室内照明は有利には部屋の壁や天井の横木に配置できるとよい。直接及び／又は間接室内照明のこの配置は、例えば病室内のベッドなどのような室内にある物体には適していない。そのため、患者は室内照明の配置により目が眩むこともありうる。
【０００３】
また、室内照明を使用するには、電気設備工事と取付けが別に必要である。これは、特に室内照明を後付けしたり、修理したりする場合に、追加の手間、ひいては追加費用につながる。さらに、病室内でベッドに寝ている患者の視線は主に天井に向かう。しかし、天井には例えば目障りな排気口があるかもしれない。これは患者にとって不快ないしは不調和な印象を与えるため、治癒過程が促進されない。
【発明の開示】
【発明が解決しようとする課題】
【０００４】
したがって、本発明の課題は簡単かつ廉価にて取付け及び後付けができ、さらに室内照明を改善する照明装置を提供することである。
【課題を解決するための手段】
【０００５】
本発明によれば、この課題は請求項１に記載された特徴により解決される。本発明の有利な実施形態の特徴は従属請求項に示されている。
【発明を実施するための最良の形態】
【０００６】
本発明により得られる利点は、特に、透明表示面に画像を投影できるような形状とサイズを透明表示面が有していることにある。このことは患者にとって病室の快適性を高めるものである。というのも、患者は寝た姿勢で例えば映画を見るかもしれないからである。さらに、透明表示面は、目障りな排気口や医療ケアユニットの一部が配置されているかもしれない天井を患者が見ることがないように、固定ユニット上に配置されている。患者の視線は主に表示面に向かうが、表示面は第１ランプユニットにより様々な輝度と様々な色温度で照明されるため、患者はくつろいだ雰囲気を味わうことができる。第１ランプユニットは少なくとも１つの第１光源を有している。また、さらなる利点として、第１ランプユニットと表示面は固定ユニット上に配置されている。これに従い、取付け及び後付けのためのコストも相応して低下する。
【０００７】
本発明の別の有利な実施形態では、表示面を収納した第１収納ユニットが容易に第２収納ユニット内に挿入可能であり、例えばノッチによって第２収納ユニットに固定されている。それゆえ、第１収納ユニットを単に第２収納ユニットから脱着するだけで、第１収納ユニットの洗浄、消毒又は交換を行うことが可能である。交換を人間工学的に好ましく行うために、第２収納ユニットはチルトダウン可能である。
【０００８】
さらに、本発明のある有利な実施形態では、表示面に対して有利には１０°の鋭角をなす光ビームが表示面に照射される。鋭角で表示面を照射することで表示面は均一に照明され、このことがまた患者に対してくつろいだ雰囲気を醸し出す。
【０００９】
本発明の１つの有利な実施形態では、第２、第３及び第４光源を有する別の複数のランプユニットを用いて、室内の全体的な照明が実現される。なお、第２、第３及び第４光源のうち、１つは床を、１つは天井を、また１つは壁を向いている。さらに、この室内照明は色温度、輝度、及び色温度と輝度の分布が変化しうるものである。
【００１０】
また、表示面を含めて室内全体が例えば同じ色温度で照明されることで、患者にとってより心地良い雰囲気が醸し出されるように、第１及び第２ランプユニットの色温度が互いに調節されるようにしてよい。さらに、第２ランプユニットの各光源の光ビームが部屋の壁、天井、及び床との間に有利には１０°の鋭角をなすように部屋の壁、天井、及び床を向いているようにしてもよい。これにより、一様な分布の室内光が可能になる。
【００１１】
さらに、本発明の１つの有利な実施形態では、第３光源を用いて、患者の目を眩まさずに患者ベッドの様々な位置を照明することが可能である。所望の照明位置は患者自身によっても調節可能である。
【００１２】
また本発明の１つの有利な実施形態では、照明装置は制御装置を用いて各ランプユニットを駆動するためのインタフェースを可能にする。それゆえ、睡眠期及び覚醒期を促進するために、制御装置により光ビームの輝度とスペクトルを変化させることができる。例えば、青色光をオフにすることはメラトニンの生成を促進するため、睡眠促進にとって有利であることが立証されている。さらに、固定した照明サイクルを制御装置に記憶させておくことも考えられる。これにより、患者にとって快適な環境が形成される可能性がもたらされる。
【００１３】
また、本発明の１つの有利な実施形態では、照明装置に光センサが配置されている。この光センサにより、例えば窓からの光の入射などの自然光の入射が測定される。したがって、自然光の入射とは関係なく一定の照明状態が達成されるようにランプユニットを制御することできる。
【００１４】
さらに、本発明の１つの有利な実施形態では、照明装置にカメラが配置されている。このカメラは通信に使用してもよいし、個々のケースに応じて医師個人による回診を、状況によって必要となる連続的な画像回診で補完するために使用してもよい。これにより、患者の看護状態が改善されると同時に、コストも節約することができる。また、テレビ電話用にカメラを表示面と組み合わせて使用してもよい。
【００１５】
以下では、図面を参照して本発明の詳細を詳しく説明する。図面のうち、
図１は、各光源の光ビームが記入された照明装置の基本スケッチを示しており、
図２は、ディスプレイユニットの照明と固定ユニット上での配置の基本スケッチを示しており、
図３は、患者照明の概略図を示している。
【実施例】
【００１６】
図１には、各光源の光ビームが記入された照明装置の基本スケッチが示されている。照明装置は照明ユニットを介して医療ケアユニットに固定された複数の光源から構成されている。医療ケアユニット２は部屋１の中に配置されており、固定ユニット２００，２００’，２００’’を有している。さらに、部屋１の中には患者ベッド３が配置されている。天井１００には開口部があり、例えばプロジェクタ４０のような映像機器の光ビーム４２，４２’はこの開口部を介して部屋１に入射することができる。なお、プロジェクタ４０は天井１００の上方にこれと平行に配置されている。プロジェクタ４０から放射された光ビーム４２，４２’は、開口部を通って部屋１の中に入射できるように、ミラー４１により向きを変えられる。
【００１７】
さらに、固定ユニット２００，２００’，２００’’は医療ケアユニット２に固定されている。一方、医療ケアユニット２は天井１００に固定されており、部屋１を照明するための複数のランプユニットを有している。こうして、第１ランプユニットは固定ユニット２００に配置されている。第１ランプユニットは少なくとも１つの光源を有しており、この光源の光ビーム１１，１１’は図１では見ることのできないディスプレイユニット１０の表示面を照明する。第１ランプユニットは、光ビーム１１，１１’がディスプレイユニット１０の表示面と鋭角をなすように、有利には１０°の鋭角をなすように、固定ユニット２００に配置されている。さらに、プロジェクタ４０から放射された光ビーム４２，４２’は、図１では見ることのできないディスプレイユニット１０の表示面に当射してそこに所望の画像を形成するようミラー４１により向きを変えられる。
【００１８】
ディスプレイユニット１０は天井１００に平行して固定ユニット２００上に配置されている。なお、ディスプレイユニット１０は、プロジェクタにより形成された画像がディスプレイユニット１０上に配置されている表示面に投影され、患者の視野面のできるだけ多くの部分を覆うような長さと幅を有している。さらに、ディスプレイユニット１０は、プロジェクタ４０により放射された光ビーム４２，４２’で形成された画像が表示面にできるだけはっきりと表示されるように、天井１００と患者ベッド３との間に配置されている。それと同時に、ディスプレイユニット１０は天井１００のできるだけ多くの部分を覆うものとすべきである。
【００１９】
さらに、固定ユニット２００，２００’，２００’’には部屋１の照明に使用される第２ランプユニットが配置されている。この第２ランプユニットは固定ユニット２００’に配置された天井１００を向いた少なくとも１つの第２光源２０を有している。固定ユニット２００はさらに部屋の壁１０１を向いた少なくとも１つの第３光源２２を有しており、固定ユニット２００’’は床を向いた少なくとも１つの第４光源２４を有している。第２光源２０は、第２光源から出た光ビーム２１，２１’によって天井１００のできるだけ多くの部分が照明されるように、固定ユニット２００に対して横向きに配置されたアーム２６上にある。
【００２０】
第３光源２２は固定ユニット２００の天井１００を向いた端部に配置されており、光ビーム２３，２３’で部屋の壁１０１を照明する。固定ユニット２００’’には、光ビーム２５，２５’によって床を照明する第４光源２４が配置されている。第３及び第４光源２２，２４をそれぞれ固定ユニット２００，２００’’上に、第２光源をアーム２６上に配置する、及び／又はそれぞれ光学手段を有するようにすることで、第２、第３及び第４光源２０，２２，２４のそれぞれの光ビームが天井１００、壁１０１及び床１０３と有利には１０°の鋭角をなすようにしてもよい。
【００２１】
さらに、固定ユニット２００は患者照明用の第３ランプユニット３０を有している。このランプユニット３０は少なくとも１つの第５光源を有しており、この第５光源により患者ベッド３の複数の領域を互いに独立して、しかも体央部及び足部を照明しても患者の目を眩ませずに照明する。例えば、この実施例では、患者ベッドの３つの領域が照明される。頭部は光ビーム３３，３３’によって、体央部は光ビーム３２，３２’によって、足部は光ビーム３１，３１’によって照明される。
【００２２】
個々のランプユニットの制御は患者自体が行ってもよいし、又は固定ユニット２００，２００’，２００’’に取り付けられたインタフェースを通して外部の又は組込みの制御装置により行うようにしてもよい。第１、第２、第３、第４及び第５光源は単色ＬＥＤとして形成してもよいし、多色ＬＥＤ、例えばＲＧＢとして形成してもよい。
【００２３】
図２には、ディスプレイユニットの照明と固定ユニット上での配置の基本スケッチが示されている。固定ユニット１０は透明な表示面１６と第１収納ユニット１２を有しており、表示面１６は第１収納ユニット１２の中に配置されている。透明表示面１６は例えばポリエステルなどの合成樹脂からできており、例えばポリウレタンなどでコーティングされている。そのため、表示面１６は反射特性が低く、光散乱特性が良い。このことは光源による照明の際に表示面１６を均一に照明するように作用する。同時に、表示面１６は、例えばプロジェクタが放射した光ビームを逆投影によって寝ている患者の視野に向けるのにも適している。
【００２４】
さらに、第１収納ユニット１２は第２収納ユニット１３に挿入可能である。なお、第１収納ユニット１２はアルミ管として形成してよい。第１収納ユニット１２は例えばノッチを用いて第２収納ユニット１３の中に固定されるので、簡単に交換が可能である。また、第２収納ユニット１３は固定ユニット２００に配置されたリテーナ１４に結合されている。リテーナ１４は、ディスプレイユニット１０を人間工学的に好ましく取り外し及び取り付けすることができるように、望遠鏡状に固定ユニットから垂直に引き抜くことができる。
【００２５】
さらに、固定ユニット２００にはＵ字形の収納ユニット１５が配置されている。このＵ字形の収納ユニット１５の中には、少なくとも１つの光源を有する第１ランプユニットが配置されている。第１光源は、表示面１６を照明した際に、第１光源から放射された光ビーム１１，１１’が表示面１６との間に有利には１０°の鋭角を形成するように、収納ユニット内に配置されている又は光学手段を備えている。
【００２６】
図３には、患者照明の概略図が示されている。第３ランプユニット３０がハウジング３５０の中に配置されている。第３ランプユニット３０はこの実施例では３つの第５光源３１０，３２０，３３０を有している。しかし、第５光源の個数はこれら３つの第５光源に限定されるべきものではない。
【００２７】
この実施例では、第５光源３１０，３２０，３３０は図３には図示されていない患者ベッドの照明に使用される。第５光源３１０，３２０，３３０患者により又は外部のもしくは組込みの制御装置により個別に駆動可能である。したがって、例えば患者ベッドの個々の領域を別個に照明することができる。第５光源３１０，３２０の各々の光ビーム３１，３１’，３２，３２’は、患者の目を眩まさないように、第５光源から発してそれぞれハウジング３５０内に配置された反射手段３４０，３４０’により２回向きを変えられる。
【００２８】
第１の第５光源３１０は患者の足部を、第２の第５光源３２０は体央部を、第３の第５光源３３０は頭部を照明する。
【００２９】
本発明は医療ケアユニット用の照明装置に関するものである。照明装置は複数の固定ユニット上に配置された複数のランプユニットを有しており、これら複数のランプユニットは部屋と表示面の照明に使用される。この場合、個々のランプユニットの例えば色温度及びその分布ならびに輝度を互いに合わせておいてよい。
【図面の簡単な説明】
【００３０】
【図１】各光源の光ビームが記入された照明装置の基本スケッチを示す。
【図２】ディスプレイユニットの照明と固定ユニット上での配置の基本スケッチを示す。
【図３】患者照明の概略図を示す。
【図１】
2009117347.tif 000003
【図２】
2009117347.tif 000004
【図３】
2009117347.tif 000005
【外国語明細書】
2009117347.tif 000006
2009117347.tif 000007
2009117347.tif 000008
2009117347.tif 000009
2009117347.tif 000010
2009117347.tif 000011
2009117347.tif 000012
2009117347.tif 000013
2009117347.tif 000014
2009117347.tif 000015
2009117347.tif 000016
2009117347.tif 000017
2009117347.tif 000018
2009117347.tif 000019
2009117347.tif 000020
2009117347.tif 000021
2009117347.tif 000022